(57)【要約】  【課題】  折板屋根において、様々な形状の屋根面に対応する屋根上設置機器の固定装置を提供する。  【解決手段】  頂部と該頂部を挟むように位置する一対の傾斜部とを有して成る折板屋根上に、太陽光利用機器を固定するための固定装置であって、前記頂部に配置され、前記太陽光利用機器を載置するための設置架台と、前記設置架台を支点として回動できるように該設置架台に結合され、前記一対の傾斜部に固定するための一対の脚体と、を備えたことを特徴とする固定装置。  【選択図】  図１
2007284956.tif 000002
【特許請求の範囲】
【請求項１】
頂部と該頂部を挟むように位置する一対の傾斜部とを有して成る折板屋根上に、太陽光利用機器を設置するための設置架台であって、
前記頂部に配置され、前記太陽光利用機器を載置するための設置架台と、
前記設置架台を支点として該設置架台に回動可能に結合され、前記一対の傾斜部に固定するための一対の脚体と、を備えることを特徴とする設置架台。
【請求項２】
前記設置架台はその一対の側面を貫く貫通孔を有し、前記脚体はその上端側に設けられた軸部が前記貫通孔に内嵌するようにして前記設置架台と結合することを特徴とする請求項１に記載の設置架台。
【請求項３】
前記軸部を前記貫通孔の内壁に対して押圧・固定する固定部材をさらに備えることを特徴とする請求項２に記載の設置架台。
【請求項４】
前記脚体に当接し、該当接状態を制御することで脚体の回動角度を調整する角度調整部材をさらに備えることを特徴とする請求項１乃至請求項３のいずれかに記載の設置架台。
【請求項５】
前記角度調整部材は、前記脚体にその下方から当接することを特徴とする請求項４に記載の設置架台。
【請求項６】
前記角度調整部材は、前記軸部よりもさらに上端側で前記脚体に当接することを特徴とする請求項５に記載の設置架台。
【請求項７】
前記脚体を前記傾斜部側へ押付ける付勢部材をさらに備えることを特徴とする請求項１乃至請求項６のいずれかに記載の設置架台。
【請求項８】
前記付勢部材は、前記脚体をその上方から押付けることを特徴とする請求項７に記載の設置架台。
【請求項９】
前記脚体は、前記軸部よりもさらに上端側外方に張出した張出部を有し、該張出部が前記付勢部材で押えられることを特徴とする請求項８に記載の設置架台。
【発明の詳細な説明】
【技術分野】
【０００１】
本発明は、太陽電池や集熱板などの太陽光利用機器を建築物の屋根に固定するための固定装置に関するものである。
【背景技術】
【０００２】
屋根には様々な形態があるが屋根材を用いた代表的なものとしては平板瓦やスレート瓦等の瓦材による瓦屋根や、鋼鈑を用いた金属屋根が挙げられる。
【０００３】
図１５は一般的な折板屋根を模式的に示す斜視図である。
【０００４】
図１５に示すような０．６〜２．０ｍｍ厚の鋼製折板の折り曲げによる折板屋根の屋根材は、軽量であることや、施工が容易で、しかも割れにくいことから、工場、倉庫、体育館の屋根や歩道、鉄道のプラットホームの上屋など、様々な建築物で使用されている。
【０００５】
さらに詳しく述べると、特に図示しないが、一般住宅以外の施設における鋼製折板屋根では、ある間隔をもって配置された支持梁に前述した波型形状の鋼製折板を固定する構造のものが多く用いられており、この固定構造としては、取付部材からボルト軸部が突出し、鋼製折板の波型底部に孔を開けて通し、上方からナットにて固定する方法が、構造が簡単で施工性に優れる点で一般的である。
【０００６】
ところで、近年環境意識の高まりから、これらの鋼製折板屋根上に太陽電池や集熱器などの自然エネルギーを活用する屋根上設置機器が設置されることが多くなっているが、それらを鋼製折板上に固定するためには前述した取付方法とは別に専用の固定装置が必要となる。代表的な例としては前述した鋼製折板屋根の波型頂部に孔を開けてボルトを通し、固定装置を締め付け固定する方法があるが、この場合、固定装置は支持梁のような強固な構造体に固定されておらず、鋼製折板屋根の強度のみによって支持されることになり、特に、ボルト締めされる部分には加重が集中するので、強風などの負圧加重によって金属屋根が破断する等の問題が生じる。そのため、複数のボルト間に補強フレームを渡したり、支持梁と鋼製折板屋根の波型頂部の間に構造材を設けるなどの必要があった。
【０００７】
このような鋼製折板上への取付に対応して、固定装置の脚体を鋼製折板の頂部を跨ぐ状態で鋼鈑折板の斜辺に伸ばし、その脚体をボルトなどの複数の固定手段によって固定することで応力の分散を図った固定装置が考案されている（例えば、特許文献１の図１を参照）。
【特許文献１】実開平０６−７９９２４号公報
【発明の開示】
【発明が解決しようとする課題】
【０００８】
しかしながら、鋼製折板屋根の波型頂部に孔を開けてボルトを通し、固定装置を締め付け固定する方法では、負圧加重に対する問題の他にも、ボルトを貫通させる孔を屋根の頂部に設けるため、雨漏り防止の止水処理が必要で、施工作業が複雑化するといった問題があった。
【０００９】
また、固定装置の脚体を鋼製折板の頂部を跨ぐ状態で鋼鈑折板の斜辺に伸ばし、その脚体をボルトなどの複数の固定手段によって固定する方法においても、波型形状の鋼製折板の頂部の幅や、頂部と底部を結ぶ傾斜辺の傾斜角度に合わせて金具を用意する必要があり、汎用性の点で十分とは云えなかった。
【００１０】
本発明は、上記問題に鑑みてなされたものであり、その目的は、折板屋根の傾斜部の傾斜角度に柔軟に対応でき、また、止水特性も大幅に向上させた、太陽光利用機器を折板屋根に固定するための固定装置を提供することにある。
【課題を解決するための手段】
【００１１】
上述の課題に対して、本発明の固定装置は、頂部と該頂部を挟むように位置する一対の傾斜部とを有して成る折板屋根上に、太陽光利用機器を設置するための設置架台であって、前記頂部に配置され、前記太陽光利用機器を載置するための設置架台と、前記設置架台を支点として該設置架台に回動可能に結合され、前記一対の傾斜部に固定するための一対の脚体と、を備えることを特徴とする。
【００１２】
また、本発明の他の固定装置は、前記設置架台はその一対の側面を貫く貫通孔を有し、前記脚体はその上端側に設けられた軸部が前記貫通孔に内嵌するようにして前記設置架台と結合することを特徴とする。
【００１３】
また、本発明の他の固定装置は、前記軸部を前記貫通孔の内壁に対して押圧・固定する固定部材をさらに備えることを特徴とする。
【００１４】
また、本発明の他の固定装置は、前記脚体に当接し、該当接状態を制御することで脚体の回動角度を調整する角度調整部材をさらに備えることを特徴とする。
【００１５】
また、本発明の他の固定装置は、前記角度調整部材は、前記脚体にその下方から当接することを特徴とする。
【００１６】
また、本発明の他の固定装置は、前記角度調整部材は、前記軸部よりもさらに上端側で前記脚体に当接することを特徴とする。
【００１７】
また、本発明の他の固定装置は、前記脚体を前記傾斜部側へ押付ける付勢部材をさらに備えることを特徴とする。
【００１８】
また、本発明の他の固定装置は、前記付勢部材は、前記脚体をその上方から押付けることを特徴とする。
【００１９】
さらに、本発明の他の固定装置は、前記脚体は、前記軸部よりもさらに上端側外方に張出した張出部を有し、該張出部が前記付勢部材で押えられることを特徴とする。
【発明の効果】
【００２０】
本発明の固定装置によれば、頂部と該頂部を挟むように位置する一対の傾斜部とを有して成る折板屋根上に、太陽光利用機器を設置するための設置架台であって、前記頂部に配置され、前記太陽光利用機器を載置するための設置架台と、前記設置架台を支点として該設置架台に回動可能に結合され、前記一対の傾斜部に固定するための一対の脚体と、を備えることにより、前記折板屋根の傾斜部の傾斜角度に対応して平行に密着させて固定することができ、負圧加重に対する耐久力も向上する。
【００２１】
また、本発明の他の固定装置によれば、前記設置架台はその一対の側面を貫く貫通孔を有し、前記脚体はその上端側に設けられた軸部が前記貫通孔に内嵌するようにして前記設置架台と結合することにより、簡単な構造で上記設置架台に前記脚体を結合させることができる。
【００２２】
また、本発明の他の固定装置によれば、前記軸部を前記貫通孔の内壁に対して押圧・固定する固定部材をさらに備えることにより、脚体をより強固にかつ安定した固定を行うことができる。
【００２３】
また、本発明の他の固定装置によれば、前記脚体に当接し、該当接状態を制御することで脚体の回動角度を調整する角度調整部材をさらに備えることにより、前記固定装置を屋根に固定する前に前記脚体の角度を固定することができ、施工はより簡単になる。
【００２４】
また、本発明の他の固定装置によれば、前記角度調整部材は、前記脚体にその下方から当接することにより、前記固定装置を屋根に固定する前に前記脚体の角度を固定することができ、施工はより簡単になる。
【００２５】
また、本発明の他の固定装置によれば、前記角度調整部材は、前記軸部よりもさらに上端側で前記脚体に当接することにより、上記同様な効果が得られる。
【００２６】
また、本発明の他の固定装置によれば、前記脚体を前記傾斜部側へ押付ける付勢部材をさらに備えることにより、止水性能を向上させる。
【００２７】
また、本発明の他の固定装置によれば、前記付勢部材は、前記脚体をその上方から押付けることにより、止水性能を向上させる。
【００２８】
さらに、本発明の他の固定装置によれば、前記脚体は、前記軸部よりもさらに上端側外方に張出した張出部を有し、該張出部が前記付勢部材で押えられることにより、止水性能を向上させる。
【発明を実施するための最良の形態】
【００２９】
以下、本発明の固定装置の構造について、模式的な図を基に詳細に説明する。
【００３０】
図１は本発明に係る固定装置の１例を屋根上に設置した状態を示す一部透視断面図であり、図２は斜視図である。
【００３１】
図１に示すように、本発明の固定装置１は、太陽光利用機器などを載置するための設置架台３と、設置架台３を折板屋根４０に固定するための２つの脚体４（４ａ、４ｂ）と、前記脚体４を折板屋根４０上に固定する固定手段３０と、前記脚体４を支持固定する支持部５とから構成され、前記設置架台３の両側面に設けられた支点である貫通孔からなる軸受け部６（６ａ、６ｂ）に脚体４の片端を挿入して上記軸受け部６に結合されて回動部２（２ａ、２ｂ）を構成し、両脚体４の間に脚体を支えるための支持部５の角度調節部材５ａを配し、前記角度調節部材５ａを上下移動させる支柱部材５ｂを締め付け部５ｃで動かすことにより前記脚体４（４ａ、４ｂ）間の開脚角度を可変および固定させる。
【００３２】
具体的には、図２に示すように、鋼製折板を折り曲げ加工した頂部と２つ以上の谷部を有する折板屋根４０上に、頂部４０ｃ上に設置架台３を配し、前記頂部４０ｃを跨ぐようにして屋根傾斜面４０ａ側に脚体４ａ、屋根傾斜面４０ｂ側に脚体４ｂがドリルビスのような固定手段３０で折板屋根４０に固定される。設置架台３の上面は平坦部分もしくは支柱部材に太陽電池モジュールや集熱器、もしくはそれらを載置する架台を載置固定できるようになっており、複数の固定装置に跨って設置される。
【００３３】
また、脚体４ａ、４ｂが屋根傾斜面４０ａ、４０ｂに固定手段３０で固定される部分にはドリルビス等で開いた孔からの雨水の浸入を防止するゴムパッキン等の止水材４１を設けて気密性、水密性を高めるようにすると好適であるが、固定手段３０にマグネットや粘着材等を用いて、屋根材に孔を開けないようにしても良い。
【００３４】
図３の（ａ）〜（ｃ）は、本発明に係る固定装置の回動部の１例の構造を説明する組み立て図であり、（ａ）は部品構成、（ｂ）は完成状態、（ｃ）は回動部の応用例を示す斜視図である。
【００３５】
図３を用いて、回動部により脚体間の開脚角度が可変および固定される様子について説明する。なお、ここでは設置架台３の側面に貫通孔を開けて軸受け部とした場合の図を例にとり説明するが、後述するような設置架台３の内壁に軸受けの突起を設けるようにしても同様の効果が得られる。
【００３６】
図３（ａ）に示すように、設置架台３の左右側面には円形状の貫通孔である軸受け部６（６ａ、６ｂ）がそれぞれ設けられている。一方、脚体４（４ａ、４ｂ）の上端には結合部である軸部７が左右２箇所設けられている。この軸部７を軸受け部６ａ（または６ｂ）に挿入することにより、図３（ｂ）に示すように、脚体４（４ａ、４ｂ）を上下に回動させる回動部２（２ａ、２ｂ）となる。なお、回動部は脚体（４ａ、４ｂ）を上下方向に回動可能な状態にできれば良いので、軸受け部６もしくは軸部７のいずれかが多角形状であっても良い。また、脚体４と軸部７の関係は一体成型でも良いが、例えば図３（ｃ）のように、脚体４に貫通孔を開けて軸部材を通すような構造にすれば、回動部組み立ての際、軸部７を設置架台３の軸受け部６に嵌め込む作業がやり易く、組み立て性が良い。
【００３７】
図４の（ａ）〜（ｃ）は、本発明に係る固定装置の１例を折板屋根４０の傾斜角度に合わせて脚体４（４ａ、４ｂ）間の開脚角度を可変した場合の両者の位置関係を示す一部透視断面図である。
【００３８】
図４（ａ）〜（ｃ）に、折板屋根４０の傾斜角度に合わせて脚体４（４ａ、４ｂ）間の開脚角度を可変した場合の両者の位置関係を示す。各図は折板屋根４０の屋根傾斜面４０ａと４０ｂの傾斜角度が異なる場合を示したものであるが、そのいずれにおいても脚体４が屋根傾斜面４０ａと４０ｂに対して略平行であり、よって脚体の固定手段３０を配する部分も傾斜面に対して略平行に接触することができるので、止水材４１が屋根面に対して均一に押圧され、止水性能を損なわない。また、同様の理由で止水材の代わりにマグネットや粘着材を固定手段に使った場合も密着性に優れ、固定性能を損なわない。また、屋根傾斜面４０ａと４０ｂの傾斜角度が異なっていても上述の効果を得られるので、様々な形状や、折板屋根自体の歪みや寸法誤差にも対応することができ、汎用性が高い。
【００３９】
次に、本発明に係る固定装置を折板屋根に設置される様子を模式的な図を用いて説明する。
【００４０】
図５の（ａ）〜（ｃ）は、本発明に係る固定装置の１例を折板屋根に設置する様子を説明する断面図である。
【００４１】
図５（ａ）に示すように、まず、折板屋根４０の傾斜角度に合わせて脚体４（４ａ、４ｂ）の開脚角度を決定する。２つの脚体４ａ、４ｂの間には支持部５が配置されており、支持部５の底面の角度調節部材５ａの中央から支柱部材５ｂが脚体４ａ、４ｂの間を通って設置架台３の上部を突き抜けて締め付け部材５ｃで固定されており、この締め付け部材５ｃを締め付け（図中ではナットの締付けを例とする）ていくと、図中矢印のように角度調節部材５ａが徐々に引き上げられ、図５（ｂ）のように両端部が脚体４ａと４ｂの内壁と接触し、それ以後は角度調節部材５ａに阻まれて脚体４ａと４ｂ間の開脚角度は狭まらなくなる。この状態で固定手段３０を用いて折板屋根４０に本固定を行えば、いちいち屋根傾斜面との水平取りをしながらドリルビス等の固定手段３０の打ち込みをするといった施工作業をしなくてよいので作業性に優れる。また、止水材４１の嵌め込み等の作業も容易となる。
【００４２】
そして、固定手段３０による固定が完了したならば、図５（ｃ）に示すように、更に締め付け部５ｃを締め付けていくと、脚体４（４ａ、４ｂ）は固定手段３０によって固定された片端を支点にして図中矢印のように浮き上がろうとするので、軸部７は軸受け部６（６ａ、６ｂ）の上部に押し付けられ、遊びやガタツキがなくなるので、結果、強固に固定される。なお、この軸受け部６を図６のような載置部３の内壁に軸受けの突起１６を設けたものであれば、脚部４の軸部７の上面を面で支えられるので機械的強度が増し、歪み等が生じにくく、より安定性が増す。また、図中のように突起１６を軸部７を受ける勘合部とする構造とすれば、載置部３の側面は孔を開けても開けなくてもよい。
【００４３】
図１４は本発明に係る固定装置の１例を用いて太陽電池モジュールを設置する様子を模式的に示す斜視図である。
【００４４】
上述のような固定装置１を図１４に示すように折板屋根４０に固定し、設置架台３の上面に太陽電池モジュール２０や集熱板などの屋根上設置機器を載置してネジ止めや挟持部材で挟持固定することで屋根上利用システムが構築される。
【００４５】
このようにして、折板屋根４０の傾斜面側に複数の固定手段を用いて固定装置を設置するので、固定装置にかかる載置物や風圧による荷重（正圧加重、負圧加重）を屋根斜面に分散することができ、固定手段や屋根に局所的な応力がかかりにくくできる。また、脚体を回動可能とすることで様々な角度の折板屋根に対応でき、しかも固定装置の可動部分の遊びによるガタツキが無く、騒音の発生や衝撃による破断が生じにくい。
【００４６】
以下に本発明における他の応用形態について模式的な図を用いて説明する。
【００４７】
図７は本発明に係る固定装置の他の実施例において、支持部に固定部材を配した例を説明する一部透視断面図、図８は本発明に係る固定装置の他の実施例において、脚体の軸側を延長した例を説明する一部透視断面図である。
【００４８】
図７に示すように、支柱部材５ｂに固定部材８を脚体４（４ａ、４ｂ）よりも上方に配し、例えば図中のように支柱部材５ｂがネジであればナット１８で下方へ移動、もしくは固定部材８そのものがネジ部を回転しながら下降し、脚体４の上面（図中では軸部７）を押えるようにすれば、角度調節部材５ａが上昇して脚体４の軸部７が設置架台３の軸受け部６を押圧する際に、締付け部５ｃの締付け過ぎなどで軸部７が軸受け部６にめり込むなどの部分破壊が生じにくく、角度調節部材５ａの締め付けトルクをさらに強くして固定力を向上させることができる。
【００４９】
また、図８に示すように、固定部材８を用い、さらに脚体４（４ａ、４ｂ）の回動部側を軸部７よりも内側に伸ばして張出し部９とし、角度調節部材５ａを前記張出し部９で受けるようにすれば、上記同様な効果が得られる。
【００５０】
図９は本発明に係る固定装置の他の実施例において、固定部材と角度調節部材を一体構造とした例を説明する一部透視断面図、図１０は本発明に係る固定装置の他の実施例において、脚体の軸側を軸部よりも外側上方に折り返して張出し部を設けた例を説明する一部透視断面図、図１１は本発明に係る固定装置の他の実施例において、脚体の外側に外フレームを設けた例を説明する断面図である。
【００５１】
図９に示すように、固定部材と角度調節部材を一体構造とした支持部１５とすれば、脚体４（４ａ、４ｂ）の開脚角度の調整を、固定部材と角度調節部材の位置あわせという２工程から、図中矢印のように締付け部材５ｃによる支柱部材５ｂの上下という１工程で可変することができ、作業を簡素化できる。
【００５２】
また、図１０に示すように固定部材でもある付勢部材８を用い、さらに脚体４（４ａ、４ｂ）の回動部側を軸部７よりも外側上方に折り返して張出し部９としても良い。この場合は、設置前は角度調節部材５ａにより脚体４（４ａ、４ｂ）の開脚角度を任意の角度もしくは一定以下にしないように保持し、固定手段３０による固定完了後は本固定のために付勢部材８を締め付けて下降させると、前記付勢部材８が張出し部９の上端を押え付けるので、図７の構成における効果以外に、回動部２を支点として図中矢印のように脚体４の固定手段側を押える力が働き、止水性能や固定力が向上する。
【００５３】
また、図１１に示すように、先の図１０の張出し部をさらに延長して脚体４の固定手段付近に連結する外フレーム１０とすれば、脚体４の主フレームの補強になるとともに、回動部２を支点として脚体４の固定手段側を押える力が働いた場合にも脚体４（主フレームと外フレーム）が曲がったり歪んだりしにくく、しかも固定手段側を押える力が外フレーム１０を介して上方から加わるようになるので、固定手段部分の折板屋根４０への密着性が向上する。
【００５４】
また、同図において設置架台の両側面に設けられる軸受け部６の形状を縦長にし、脚体間の開脚角度に合わせて上下移動させるようにすれば、図４（ａ）〜（ｃ）でも述べたように折板屋根４０の傾斜角度が変わっても屋根材の傾斜面と脚体の固定手段側の下端が平行状態で接触する調整を、より高精度で合わせられるので、屋根面との密着性がさらに向上する。
【００５５】
また、同図において脚体４間の開脚角度に合わせて回動部２の位置を上下移動（開脚角度が小さいときは上方へ、大きい時は下方へ移動）させるが、設置架台３の上面（太陽電池モジュール２０等が載置される面）の高さ位置は変化しないので、屋根面の傾斜がゆがみや歪み等で一定していなくても、複数の固定装置上に載置される屋根上設置機器を水平状態で設置することができる。
【００５６】
図１２は本発明に係る固定装置の他の実施例において、軸受け部の孔形状を横長にした例を説明する斜視図、図１３は本発明に係る固定装置の他の実施例において、外フレームを延長して雨水誘導部を設けた例を説明する断面図である。
【００５７】
折板屋根４０の頂部４０ｃの幅も様々であるので、図１２に示すように固定装置１の設置架台３の両側面に設けられる軸受け部６の孔形状を横長にして、屋根材の頂部４０ｃの幅に合わせて脚体４間の距離を可変できるようにすれば、様々な幅の屋根に対応することが可能となる。
【００５８】
また、先に述べた図１１の外フレーム１０の端部を図１３のように延長して雨水誘導部１０ａを構成するようにすれば、図中矢印のように固定装置１上に落ちた雨水は、外フレーム１０の表面を流れ、そのまま雨水誘導部１０ａに導かれて折板屋根４０上に落下する。これにより、例えば図のように脚体材４をドリルビスである固定手段３０で折板屋根４０に孔あけ固定する場合には、ゴムパッキンのような止水材４１を配して孔から屋根内部に雨水の侵入が生じないように配慮するのが一般的だが、水圧が強くなるとドリルビスとゴムパッキンの接合面から微少な漏水が生じるという問題に対し、雨水誘導部１０ａにより外フレーム１０上を流れ落ちる雨水の大半が固定部分に流れ込まなくなるので水圧が上昇しにくく、漏水発生が生じにくい。さらに、風による雨水の吹き込みの場合では雨水が雨水誘導部１０ａよりも下側から吹き付けるのであるが、雨水誘導部１０ａの張り出しによって吹き込みが生じる開口面積が限定されるので、雨水誘導部１０ａ上からの流れ込みが生じない分、水圧の上昇を抑えられる。このとき、ドリルビスの頭部を覆うカバー１２を設ければ、吹き込みが生じる開口面積が雨水誘導部１０ａの張り出し部先端Ａとカバー１２の上端Ｂとの間に縮小されるので、雨水の吹き込み量も減少させることができる。
【００５９】
なお、本発明は上記実施形態に限定されるものではなく、本発明の範囲内で多くの修正及び変更を加えることができる。
【図面の簡単な説明】
【００６０】
【図１】本発明に係る固定装置の１例を屋根上に設置した状態を模式的に示す一部透視断面図である。
【図２】本発明に係る固定装置の１例を屋根上に設置した状態を模式的に示す斜視図である。
【図３】（ａ）〜（ｃ）は、本発明に係る固定装置の回動部の１例の構造を説明する組み立て図であり、（ａ）は部品構成、（ｂ）は完成状態、（ｃ）は回動部の応用例を示す斜視図である。
【図４】（ａ）〜（ｃ）は、本発明に係る固定装置の１例を折板屋根４０の傾斜角度に合わせて脚体４（４ａ、４ｂ）間の開脚角度を可変した場合の両者の位置関係を示す一部透視断面図である。
【図５】（ａ）〜（ｃ）は、本発明に係る固定装置の１例を折板屋根に設置する様子を説明する断面図である。
【図６】本発明に係る設置架台の軸受け部に突起を設けた様子を模式的に説明する一部透視斜視図である。
【図７】本発明に係る固定装置の他の実施例において、支持部に固定部材を配した例を説明する一部透視断面図である。
【図８】本発明に係る固定装置の他の実施例において、脚体の軸側を延長した例を説明する一部透視断面図である。
【図９】本発明に係る固定装置の他の実施例において、固定部材と角度調節部材を一体構造とした例を説明する一部透視断面図である。
【図１０】本発明に係る固定装置の他の実施例において、脚体の軸側を軸部よりも外側上方に折り返して張出し部を設けた例を説明する一部透視断面図である。
【図１１】本発明に係る固定装置の他の実施例において、脚体の外側に外フレームを設けた例を説明する断面図である。
【図１２】本発明に係る固定装置の他の実施例において、軸受け部の孔形状を横長にした例を説明する斜視図である。
【図１３】本発明に係る固定装置の他の実施例において、外フレームを延長して雨水誘導部を設けた例を説明する断面図である。
【図１４】本発明に係る固定装置の１例を用いて太陽電池モジュールを設置する様子を模式的に示す斜視図である。
【図１５】一般的な折板屋根を模式的に示す斜視図である。
【符号の説明】
【００６１】
１：固定装置
２、２ａ、２ｂ：回動部
３：設置架台
４、４ａ、４ｂ：脚体
５：支持部
５ａ：角度調節部材
５ｂ：支柱部
５ｃ：締付け部
６、６ａ、６ｂ：軸受け部
７：軸部
９：張出し部
１０：外フレーム
１０ａ：雨水誘導部
１２：カバー
１５：支持部
１６：突起
１８：ナット
２０：太陽電池モジュール
３０：固定手段
４０：折板屋根
４０ａ、４０ｂ：屋根傾斜面
４０ｃ：頂部
４１：止水材
【図１】
2007284956.tif 000003
【図２】
2007284956.tif 000004
【図３】
2007284956.tif 000005
【図４】
2007284956.tif 000006
【図５】
2007284956.tif 000007
【図６】
2007284956.tif 000008
【図７】
2007284956.tif 000009
【図８】
2007284956.tif 000010
【図９】
2007284956.tif 000011
【図１０】
2007284956.tif 000012
【図１１】
2007284956.tif 000013
【図１２】
2007284956.tif 000014
【図１３】
2007284956.tif 000015
【図１４】
2007284956.tif 000016
【図１５】
2007284956.tif 000017